(57)【要約】【課題】ユーザがより少ない簡単な操作にて、画像表示装置による画像の表示の仕方を変えることができる。【解決手段】制御部は、情報取得部で取得した情報を、指示受取部を介して指示された第１のタイミングで確定した後、情報取得部で取得した情報を、指示受取部を介して指示された第２のタイミングで確定すると共に、第１のタイミングで確定した情報と、第２のタイミングで確定した情報と、を比較して、その比較結果に基づいて、プロジェクタから投射する画像の表示を制御する。【選択図】図１
2010015032.tif 000002
【特許請求の範囲】
【請求項１】
被投射面に画像を投射表示することが可能なプロジェクタであって、
前記被投射面を撮像して得られた撮像画像から情報を取得する情報取得部と、
外部からの指示を受け取る指示受取部と、
前記画像の表示を制御する制御部と、
を備え、
前記制御部は、前記情報取得部で取得した情報を、前記指示受取部を介して指示された第１のタイミングで確定した後、前記情報取得部で取得した情報を、前記指示受取部を介して指示された第２のタイミングで確定すると共に、前記第１のタイミングで確定した情報と、前記第２のタイミングで確定した情報と、を比較して、その比較結果に基づいて、前記画像の表示を制御することを特徴とするプロジェクタ。
【請求項２】
請求項１に記載のプロジェクタにおいて、
前記画像として、少なくとも、第１の種類の画像と第２の種類の画像とを投射表示することが可能であると共に、
前記第１の種類の画像を投射表示している場合において、前記制御部は、前記情報を比較した結果、前記第１のタイミングで確定した情報が、前記第１の種類の画像に重畳された重畳画像に含まれる情報であり、前記第２のタイミングで確定した情報も、前記第１の種類の画像に重畳された前記重畳画像に含まれる情報である場合に、前記第１の種類の画像の投射表示を停止させ、前記第２の種類の画像の投射表示を開始させることを特徴とするプロジェクタ。
【請求項３】
請求項１に記載のプロジェクタにおいて、
前記画像として、少なくとも、第１の種類の画像と第２の種類の画像とを投射表示することが可能であると共に、
前記第１の種類の画像を投射表示している場合において、前記制御部は、前記情報を比較した結果、前記第１のタイミングで確定した情報が、不定の情報であり、前記第２のタイミングで確定した情報が、前記第１の種類の画像に重畳された重畳画像に含まれる情報である場合に、前記第１の種類の画像の投射表示を停止させ、前記第２の種類の画像の投射表示を開始させることを特徴とするプロジェクタ。
【請求項４】
請求項１に記載のプロジェクタにおいて、
前記画像として、少なくとも、第１の種類の画像と第２の種類の画像とを投射表示することが可能であると共に、
前記第２の種類の画像を投射表示している場合において、前記制御部は、前記情報を比較した結果、前記第１のタイミングで確定した情報が、前記第２の種類の画像に重畳された重畳画像に含まれる情報であり、前記第２のタイミングで確定した情報が、不定の情報である場合に、前記第２の種類の画像の投射表示を停止させ、前記第１の種類の画像の投射表示を開始させることを特徴とするプロジェクタ。
【請求項５】
請求項１に記載のプロジェクタにおいて、
前記画像として、少なくとも、第１の種類の画像と第２の種類の画像とを投射表示することが可能であると共に、
前記第２の種類の画像を投射表示している場合において、前記制御部は、前記情報を比較した結果、前記第１のタイミングで確定した情報が、前記第２の種類の画像に重畳された重畳画像に含まれる情報であり、前記第２のタイミングで確定した情報が、不定の情報である場合に、前記第２の種類の画像の投射表示を維持させることを特徴とするプロジェクタ。
【請求項６】
請求項２ないし請求項５のうちの任意の１つに記載のプロジェクタにおいて、
前記重畳画像は、前記被投射面に前記プロジェクタ以外の装置から投射表示された画像であることを特徴とするプロジェクタ。
【請求項７】
第１の被投射面に画像を投射表示することが可能な第１のプロジェクタと、第２の被投射面に画像を投射表示することが可能な第２のプロジェクタと、を備える画像投射表示システムであって、
前記第１のプロジェクタは、
前記第１の被投射面を撮像して得られた撮像画像から情報を取得する第１の情報取得部と、
外部からの指示を受け取る第１の指示受取部と、
前記第１のプロジェクタから投射する前記画像の表示を制御する第１の制御部と、
を備え、
前記第１の制御部は、前記第１の情報取得部で取得した情報を、前記第１の指示受取部を介して指示された第１のタイミングで確定した後、前記第１の情報取得部で取得した情報を、前記第１の指示受取部を介して指示された第２のタイミングで確定すると共に、前記第１のタイミングで確定した情報と、前記第２のタイミングで確定した情報と、を比較して、その比較結果に基づいて、前記画像の表示を制御し、
前記第２のプロジェクタは、
前記第２の被投射面を撮像して得られた撮像画像から情報を取得する第２の情報取得部と、
外部からの指示を受け取る第２の指示受取部と、
前記第２のプロジェクタから投射する前記画像の表示を制御する第２の制御部と、
を備え、
前記第２の制御部は、前記第２の情報取得部で取得した情報を、前記第２の指示受取部を介して指示された第３のタイミングで確定した後、前記第２の情報取得部で取得した情報を、前記第２の指示受取部を介して指示された第４のタイミングで確定すると共に、前記第３のタイミングで確定した情報と、前記第４のタイミングで確定した情報と、を比較して、その比較結果に基づいて、前記画像の表示を制御し、
前記第１及び第２のプロジェクタは、それぞれ、前記画像として、少なくとも、第１の種類の画像と第２の種類の画像とを投射表示することが可能であると共に、
前記第１のプロジェクタが前記第２の種類の画像を投射表示し、前記第２のプロジェクタが前記第１の種類の画像を投射表示している場合において、前記第１の制御部は、前記情報を比較した結果、前記第１のタイミングで確定した情報が、前記第２の種類の画像に重畳された重畳画像に含まれる情報であり、前記第２のタイミングで確定した情報が、不定の情報である場合に、前記第１のプロジェクタにおいて、前記第２の種類の画像の投射表示を停止させ、前記第１の種類の画像の投射表示を開始させると共に、前記第２の制御部は、前記情報を比較した結果、前記第３のタイミングで確定した情報が、不定の情報であり、前記第４のタイミングで確定した情報が、前記第１の種類の画像に重畳された重畳画像に含まれる情報である場合に、前記第２のプロジェクタにおいて、前記第１の種類の画像の投射表示を停止させ、前記第２の種類の画像の投射表示を開始させることを特徴とする画像投射表示システム。
【請求項８】
第１の被投射面に画像を投射表示することが可能な第１のプロジェクタと、第２の被投射面に画像を投射表示することが可能な第２のプロジェクタと、を備える画像投射表示システムであって、
前記第１のプロジェクタは、
前記第１の被投射面を撮像して得られた撮像画像から情報を取得する第１の情報取得部と、
外部からの指示を受け取る第１の指示受取部と、
前記第１のプロジェクタから投射する前記画像の表示を制御する第１の制御部と、
を備え、
前記第１の制御部は、前記第１の情報取得部で取得した情報を、前記第１の指示受取部を介して指示された第１のタイミングで確定した後、前記第１の情報取得部で取得した情報を、前記第１の指示受取部を介して指示された第２のタイミングで確定すると共に、前記第１のタイミングで確定した情報と、前記第２のタイミングで確定した情報と、を比較して、その比較結果に基づいて、前記画像の表示を制御し、
前記第２のプロジェクタは、
前記第２の被投射面を撮像して得られた撮像画像から情報を取得する第２の情報取得部と、
外部からの指示を受け取る第２の指示受取部と、
前記第２のプロジェクタから投射する前記画像の表示を制御する第２の制御部と、
を備え、
前記第２の制御部は、前記第２の情報取得部で取得した情報を、前記第２の指示受取部を介して指示された第３のタイミングで確定した後、前記第２の情報取得部で取得した情報を、前記第２の指示受取部を介して指示された第４のタイミングで確定すると共に、前記第３のタイミングで確定した情報と、前記第４のタイミングで確定した情報と、を比較して、その比較結果に基づいて、前記画像の表示を制御し、
前記第１及び第２のプロジェクタは、それぞれ、前記画像として、少なくとも、第１の種類の画像と第２の種類の画像とを投射表示することが可能であると共に、
前記第１のプロジェクタが前記第２の種類の画像を投射表示し、前記第２のプロジェクタが前記第１の種類の画像を投射表示している場合において、前記第１の制御部は、前記情報を比較した結果、前記第１のタイミングで確定した情報が、前記第２の種類の画像に重畳された画像に含まれる情報であり、前記第２のタイミングで確定した情報が、不定の情報である場合に、前記第１のプロジェクタにおいて、前記第２の種類の画像の投射表示を維持させると共に、前記第２の制御部は、前記情報を比較した結果、前記第３のタイミングで確定した情報が、不定の情報であり、前記第４のタイミングで確定した情報が、前記第１の種類の画像に重畳された画像に含まれる情報である場合に、前記第２のプロジェクタにおいて、前記第１の種類の画像の投射表示を停止させ、前記第２の種類の画像の投射表示を開始させることを特徴とする画像投射表示システム。
【請求項９】
請求項７または請求項８に記載の画像投射表示システムにおいて、
画像投射部と、操作部と、を有するリモートコントローラをさらに備え、
前記重畳画像は、前記画像投射部によって前記第１または第２の被投射面に投射表示されると共に、
外部からの前記指示は、前記操作部に対する操作によって為されることを特徴とする画像投射表示システム。
【請求項１０】
被投射面に画像を投射表示することが可能なプロジェクタの制御方法であって、
（ａ）前記被投射面を撮像して得られた撮像画像から情報を取得する工程と、
（ｂ）取得した前記情報を、ユーザから指示された第１のタイミングで確定する工程と、
（ｃ）取得した前記情報を、前記第１のタイミングよりも後に、前記ユーザから指示された第２のタイミングで確定する工程と、
（ｄ）前記第１のタイミングで確定した情報と、前記第２のタイミングで確定した情報と、を比較する工程と、
（ｅ）前記工程（ｄ）における比較結果に基づいて、前記画像の表示を制御する工程と、
を備えるプロジェクタの制御方法。
【発明の詳細な説明】
【技術分野】
【０００１】
本発明は、投射される画像の表示を制御するための技術に関するものである。
【背景技術】
【０００２】
従来、複数台のプロジェクタを使用して、パーソナルコンピュータから得られた画像を投射表示する場合に、例えば、パーソナルコンピュータとプロジェクタＡとの間で無線ＬＡＮ等によるネットワーク接続を確立して、パーソナルコンピュータからの画像をプロジェクタＡで投射表示させ、その後、パーソナルコンピュータとプロジェクタＡとの間のネットワーク接続を切断して、プロジェクタＡによる投射表示を停止させると共に、パーソナルコンピュータとプロジェクタＢとの間のネットワーク接続を確立して、パーソナルコンピュータからの画像をプロジェクタＢで投射表示させるようにして、投射画像の移し換えを行うようにしていた。
【０００３】
また、従来では、携帯電話等とプロジェクタとの間で、無線ＬＡＮ等によるネットワーク接続の確立を行う場合に、その接続情報を２次元コードに変換し、その２次元コードをそのプロジェクタによって投射表示し、携帯電話のカメラで、その２次元コードを撮像して、その撮像画像から接続情報を取得するようにしていた。この種の従来技術については、例えば、下記の特許文献に記載のものが知られている。
【０００４】
【特許文献１】特開２００７−３１２１７９号公報
【特許文献２】特開２００８−１５４０２号公報
【特許文献３】特開２００８−７７３８０号公報
【発明の開示】
【発明が解決しようとする課題】
【０００５】
しかしながら、従来においては、上記した投射画像の移し換えを行う場合、ネットワーク接続の切断、新たな投射先であるプロジェクタの選択、そのプロジェクタとのネットワーク接続の確立など、複数の操作をユーザが行わなければならず、非常に煩雑であった。
【０００６】
従って、本発明の目的は、上記した従来技術の問題点を解決し、ユーザがより少ない簡単な操作にて、画像の移し換えなど、プロジェクタによる画像の表示の仕方を変えることができる技術を提供することにある。
【課題を解決するための手段】
【０００７】
本発明は、上述の課題の少なくとも一部を解決するためになされたものであり、以下の形態又は適用例として実現することが可能である。
【０００８】
［適用例１］
被投射面に画像を投射表示することが可能なプロジェクタであって、前記被投射面を撮像して得られた撮像画像から情報を取得する情報取得部と、外部からの指示を受け取る指示受取部と、前記画像の表示を制御する制御部と、を備え、前記制御部は、前記情報取得部で取得した情報を、前記指示受取部を介して指示された第１のタイミングで確定した後、前記情報取得部で取得した情報を、前記指示受取部を介して指示された第２のタイミングで確定すると共に、前記第１のタイミングで確定した情報と、前記第２のタイミングで確定した情報と、を比較して、その比較結果に基づいて、前記画像の表示を制御することを特徴とするプロジェクタ。
【０００９】
このように、適用例１では、撮像画像から取得した情報を、外部から指示された第１のタイミングで確定した後、さらに、撮像画像から取得した情報を、外部から指示された第２のタイミングで確定し、第１のタイミングで確定した情報と、第２のタイミングで確定した情報と、を比較して、その比較結果に基づいて、プロジェクタから投射する画像の表示を制御するようにしている。
【００１０】
従って、適用例１によれば、ユーザは、例えば、被投射面に所望の情報を含む画像を投射表示させつつ、２回指示を出すだけで、プロジェクタから投射する画像の表示を制御することが可能となる。よって、ユーザは、より少ない簡単な操作にて、プロジェクタによる画像の表示の仕方を変えることができる。
【００１１】
［適用例２］
適用例１に記載のプロジェクタにおいて、前記画像として、少なくとも、第１の種類の画像と第２の種類の画像とを投射表示することが可能であると共に、前記第１の種類の画像を投射表示している場合において、前記制御部は、前記情報を比較した結果、前記第１のタイミングで確定した情報が、前記第１の種類の画像に重畳された重畳画像に含まれる情報であり、前記第２のタイミングで確定した情報も、前記第１の種類の画像に重畳された前記重畳画像に含まれる情報である場合に、前記第１の種類の画像の投射表示を停止させ、前記第２の種類の画像の投射表示を開始させることを特徴とするプロジェクタ。
【００１２】
例えば、ユーザが、所望の情報を含む重畳画像を被投射面に投射表示させつつ、１回目の指示を出し、続けて、２回目の指示を出した場合、第１のタイミングで確定する情報も、第２のタイミングで確定する情報も、第１の種類の画像に重畳された重畳画像に含まれる情報となる。従って、適用例２では、ユーザによる、このような、少ない簡単な操作によって、第１の種類の画像の投射表示を停止させ、第２の種類の画像の投射表示を開始させるように、プロジェクタによる画像の表示の仕方を変えることができる。
【００１３】
［適用例３］
適用例１に記載のプロジェクタにおいて、前記画像として、少なくとも、第１の種類の画像と第２の種類の画像とを投射表示することが可能であると共に、前記第１の種類の画像を投射表示している場合において、前記制御部は、前記情報を比較した結果、前記第１のタイミングで確定した情報が、不定の情報であり、前記第２のタイミングで確定した情報が、前記第１の種類の画像に重畳された重畳画像に含まれる情報である場合に、前記第１の種類の画像の投射表示を停止させ、前記第２の種類の画像の投射表示を開始させることを特徴とするプロジェクタ。
【００１４】
例えば、ユーザが、所望の情報を含む重畳画像を、被投射面とは異なる所に向かって投射させつつ、１回目の指示を出し、その後、その重畳画像を被投射面に投射表示させつつ、２回目の指示を出した場合、第１のタイミングで確定する情報は、不定の情報となり、第２のタイミングで確定する情報は、第１の種類の画像に重畳された重畳画像に含まれる情報となる。従って、適用例３では、ユーザによる、このような、少ない簡単な操作によって、第１の種類の画像の投射表示を停止させ、第２の種類の画像の投射表示を開始させるように、プロジェクタによる画像の表示の仕方を変えることができる。
【００１５】
［適用例４］
適用例１に記載のプロジェクタにおいて、前記画像として、少なくとも、第１の種類の画像と第２の種類の画像とを投射表示することが可能であると共に、前記第２の種類の画像を投射表示している場合において、前記制御部は、前記情報を比較した結果、前記第１のタイミングで確定した情報が、前記第２の種類の画像に重畳された重畳画像に含まれる情報であり、前記第２のタイミングで確定した情報が、不定の情報である場合に、前記第２の種類の画像の投射表示を停止させ、前記第１の種類の画像の投射表示を開始させることを特徴とするプロジェクタ。
【００１６】
例えば、ユーザが、所望の情報を含む重畳画像を被投射面に投射表示させつつ、１回目の指示を出し、その後、その重畳画像を被投射面とは異なる所に向かって投射させつつ、２回目の指示を出した場合、第１のタイミングで確定する情報は、第２の種類の画像に重畳された重畳画像に含まれる情報となり、第２のタイミングで確定する情報は、不定の情報となる。従って、適用例４では、ユーザによる、このような、少ない簡単な操作によって、第２の種類の画像の投射表示を停止させ、第１の種類の画像の投射表示を開始させるように、プロジェクタによる画像の表示の仕方を変えることができる。
【００１７】
［適用例５］
適用例１に記載のプロジェクタにおいて、前記画像として、少なくとも、第１の種類の画像と第２の種類の画像とを投射表示することが可能であると共に、前記第２の種類の画像を投射表示している場合において、前記制御部は、前記情報を比較した結果、前記第１のタイミングで確定した情報が、不定の情報であり、前記第２のタイミングで確定した情報が、前記第２の種類の画像に重畳された重畳画像に含まれる情報である場合に、前記第２の種類の画像の投射表示を維持させることを特徴とするプロジェクタ。
【００１８】
例えば、ユーザが、所望の情報を含む重畳画像を被投射面に投射表示させつつ、１回目の指示を出し、その後、その重畳画像を被投射面とは異なる所に向かって投射させつつ、２回目の指示を出した場合、第１のタイミングで確定する情報は、第２の種類の画像に重畳された重畳画像に含まれる情報となり、第２のタイミングで確定する情報は、不定の情報となる。従って、適用例５では、ユーザがこのような操作を行った場合、第２の種類の画像の投射表示したままとして、プロジェクタによる画像の表示を維持させることができる。
【００１９】
［適用例６］
適用例２ないし適用例５のうちの任意の１つに記載のプロジェクタにおいて、前記重畳画像は、前記被投射面に前記プロジェクタ以外の装置から投射表示された画像であることを特徴とするプロジェクタ。
【００２０】
このように、上記のプロジェクタ以外の装置を用いることによって、ユーザは、被投射面に重畳画像を投射表示させることができる。
【００２１】
［適用例７］
第１の被投射面に画像を投射表示することが可能な第１のプロジェクタと、第２の被投射面に画像を投射表示することが可能な第２のプロジェクタと、を備える画像投射表示システムであって、前記第１のプロジェクタは、前記第１の被投射面を撮像して得られた撮像画像から情報を取得する第１の情報取得部と、外部からの指示を受け取る第１の指示受取部と、前記第１のプロジェクタから投射する前記画像の表示を制御する第１の制御部と、を備え、前記第１の制御部は、前記第１の情報取得部で取得した情報を、前記第１の指示受取部を介して指示された第１のタイミングで確定した後、前記第１の情報取得部で取得した情報を、前記第１の指示受取部を介して指示された第２のタイミングで確定すると共に、前記第１のタイミングで確定した情報と、前記第２のタイミングで確定した情報と、を比較して、その比較結果に基づいて、前記画像の表示を制御し、前記第２のプロジェクタは、前記第２の被投射面を撮像して得られた撮像画像から情報を取得する第２の情報取得部と、外部からの指示を受け取る第２の指示受取部と、前記第２のプロジェクタから投射する前記画像の表示を制御する第２の制御部と、を備え、前記第２の制御部は、前記第２の情報取得部で取得した情報を、前記第２の指示受取部を介して指示された第３のタイミングで確定した後、前記第２の情報取得部で取得した情報を、前記第２の指示受取部を介して指示された第４のタイミングで確定すると共に、前記第３のタイミングで確定した情報と、前記第４のタイミングで確定した情報と、を比較して、その比較結果に基づいて、前記画像の表示を制御し、前記第１及び第２のプロジェクタは、それぞれ、前記画像として、少なくとも、第１の種類の画像と第２の種類の画像とを投射表示することが可能であると共に、前記第１のプロジェクタが前記第２の種類の画像を投射表示し、前記第２のプロジェクタが前記第１の種類の画像を投射表示している場合において、前記第１の制御部は、前記情報を比較した結果、前記第１のタイミングで確定した情報が、前記第２の種類の画像に重畳された重畳画像に含まれる情報であり、前記第２のタイミングで確定した情報が、不定の情報である場合に、前記第１のプロジェクタにおいて、前記第２の種類の画像の投射表示を停止させ、前記第１の種類の画像の投射表示を開始させると共に、前記第２の制御部は、前記情報を比較した結果、前記第３のタイミングで確定した情報が、不定の情報であり、前記第４のタイミングで確定した情報が、前記第１の種類の画像に重畳された重畳画像に含まれる情報である場合に、前記第２のプロジェクタにおいて、前記第１の種類の画像の投射表示を停止させ、前記第２の種類の画像の投射表示を開始させることを特徴とする画像投射表示システム。
【００２２】
例えば、ユーザが、所望の情報を含む重畳画像を第１の被投射面に投射表示させつつ、１回目の指示を出し、その後、その重畳画像を第１の被投射面から第２の被投射面に移し、第２の被投射面に投射表示させつつ、２回目の指示を出す。この場合、第１のプロジェクタでは、第１のタイミングで確定する情報が、第２の種類の画像に重畳された重畳画像に含まれる情報となるのに対し、第２のタイミングで確定する情報は、不定の情報となり、一方、第２のプロジェクタでは、第１のタイミングで確定する情報が、不定の情報となるのに対し、第２のタイミングで確定する情報は、第１の種類の画像に重畳された重畳画像に含まれる情報となる。従って、適用例７では、ユーザによる、このような、少ない簡単な操作によって、第１のプロジェクタについては、第２の種類の画像の投射表示を停止させ、第１の種類の画像の投射表示を開始させるように、画像の表示の仕方を変えることができ、第２のプロジェクタについては、第１の種類の画像の投射表示を停止させ、第２の種類の画像の投射表示を開始させるように、画像の表示の仕方を変えることができるため、第１のプロジェクタと第２のプロジェクタとの間で表示画像の移し換えを実現することができる。
【００２３】
［適用例８］
第１の被投射面に画像を投射表示することが可能な第１のプロジェクタと、第２の被投射面に画像を投射表示することが可能な第２のプロジェクタと、を備える画像投射表示システムであって、前記第１のプロジェクタは、前記第１の被投射面を撮像して得られた撮像画像から情報を取得する第１の情報取得部と、外部からの指示を受け取る第１の指示受取部と、前記第１のプロジェクタから投射する前記画像の表示を制御する第１の制御部と、を備え、前記第１の制御部は、前記第１の情報取得部で取得した情報を、前記第１の指示受取部を介して指示された第１のタイミングで確定した後、前記第１の情報取得部で取得した情報を、前記第１の指示受取部を介して指示された第２のタイミングで確定すると共に、前記第１のタイミングで確定した情報と、前記第２のタイミングで確定した情報と、を比較して、その比較結果に基づいて、前記画像の表示を制御し、前記第２のプロジェクタは、前記第２の被投射面を撮像して得られた撮像画像から情報を取得する第２の情報取得部と、外部からの指示を受け取る第２の指示受取部と、前記第２のプロジェクタから投射する前記画像の表示を制御する第２の制御部と、を備え、前記第２の制御部は、前記第２の情報取得部で取得した情報を、前記第２の指示受取部を介して指示された第３のタイミングで確定した後、前記第２の情報取得部で取得した情報を、前記第２の指示受取部を介して指示された第４のタイミングで確定すると共に、前記第３のタイミングで確定した情報と、前記第４のタイミングで確定した情報と、を比較して、その比較結果に基づいて、前記画像の表示を制御し、前記第１及び第２のプロジェクタは、それぞれ、前記画像として、少なくとも、第１の種類の画像と第２の種類の画像とを投射表示することが可能であると共に、前記第１のプロジェクタが前記第２の種類の画像を投射表示し、前記第２のプロジェクタが前記第１の種類の画像を投射表示している場合において、前記第１の制御部は、前記情報を比較した結果、前記第１のタイミングで確定した情報が、前記第２の種類の画像に重畳された画像に含まれる情報であり、前記第２のタイミングで確定した情報が、不定の情報である場合に、前記第１のプロジェクタにおいて、前記第２の種類の画像の投射表示を維持させると共に、前記第２の制御部は、前記情報を比較した結果、前記第３のタイミングで確定した情報が、不定の情報であり、前記第４のタイミングで確定した情報が、前記第１の種類の画像に重畳された画像に含まれる情報である場合に、前記第２のプロジェクタにおいて、前記第１の種類の画像の投射表示を停止させ、前記第２の種類の画像の投射表示を開始させることを特徴とする画像投射表示システム。
【００２４】
例えば、ユーザが、上述の適用例７で説明した操作と同様の操作をした場合に、第１のプロジェクタについては、第２の種類の画像の投射表示したままとして、画像の表示を維持させることができるのに対し、第２のプロジェクタについては、第１の種類の画像の投射表示を停止させ、第２の種類の画像の投射表示を開始させるように、画像の表示の仕方を変えることができる。よって、第１のプロジェクタによって、第１の被投射面に、第２の種類の画像が投射表示されたまま、第２のプロジェクタによって、第２の被投射面にも、同じ第２の種類の画像が投射表示されるようになるため、あたかも、第２の種類の画像が、第１の被投射面から第２の被投射面に複写されたように見せることができる。
【００２５】
［適用例９］
適用例７または適用例８に記載の画像投射表示システムにおいて、画像投射部と、操作部と、を有するリモートコントローラをさらに備え、前記重畳画像は、前記画像投射部によって前記第１または第２の被投射面に投射表示されると共に、外部からの前記指示は、前記操作部に対する操作によって為されることを特徴とする画像投射表示システム。
【００２６】
このようなリモートコントローラをユーザが使用することによって、ユーザは、自由に、重畳画像を第１の被投射面や第２の被投射面に投射表示させたり、各プロジェクタに指示を出したりすることができる。
【００２７】
［適用例１０］
被投射面に画像を投射表示することが可能なプロジェクタの制御方法であって、（ａ）前記被投射面を撮像して得られた撮像画像から情報を取得する工程と、（ｂ）取得した前記情報を、ユーザから指示された第１のタイミングで確定する工程と、（ｃ）取得した前記情報を、前記第１のタイミングよりも後に、前記ユーザから指示された第２のタイミングで確定する工程と、（ｄ）前記第１のタイミングで確定した情報と、前記第２のタイミングで確定した情報と、を比較する工程と、（ｅ）前記工程（ｄ）における比較結果に基づいて、前記画像の表示を制御する工程と、を備えるプロジェクタの制御方法。
【００２８】
適用例１０の制御方法によれば、適用例１と同様の効果を奏することができる。
【００２９】
なお、本発明は、上記したプロジェクタや画像投射表示システムなどの装置発明の態様や、制御方法などの方法発明としての態様に限ることなく、それら方法や装置を構築するためのコンピュータプログラムとしての態様や、そのようなコンピュータプログラムを記録した記録媒体としての態様など、種々の態様で実現することも可能である。
【発明を実施するための最良の形態】
【００３０】
以下、本発明の実施の形態を実施例に基づいて以下の順序で説明する。
Ａ．第１の実施例：
Ａ−１．実施例の構成：
Ａ−２．実施例の動作：
Ａ−２−１．初期動作：
Ａ−２−２．コンテンツ画像への切り換え動作：
Ａ−２−３．待ち受け画像への切り換え動作：
Ａ−２−４．コンテンツ画像の移し換え動作：
Ａ−２−５．コンテンツ画像への他の切り換え動作：
Ａ−２−６．待ち受け画像への他の切り換え動作：
Ａ−３．実施例の効果：
Ｂ．第２の実施例：
Ｂ−１．実施例の動作：
Ｂ−１−１．コンテンツ画像の複写動作：
Ｂ−２．実施例の効果：
Ｃ．変形例：
【００３１】
Ａ．第１の実施例：
Ａ−１．実施例の構成：
図１は本発明の第１の実施例としての画像表示制御装置を含む画像表示システムを示すブロック図である。
【００３２】
図１に示す画像表示システムは、画像表示制御装置であるパーソナルコンピュータ（以下、単にＰＣと略す）１００と、画像表示装置である３台のプロジェクタＡ〜Ｃと、で構成されている。
【００３３】
このうち、ＰＣ１００は、図１に示すように、プログラムを実行することにより種々の処理や制御を行うＣＰＵ１１０と、プログラムを格納したり、データや情報を格納したりするためのメモリ１２０と、無線ＬＡＮを介してプロジェクタＡ〜Ｃとの間で各種データや情報などの伝送を行うネットワークインタフェース部１３０と、リモートコントローラ（以下、単にリモコンと略す）１５０との間で各種データや情報などの伝送を行うリモコンインタフェース部１４０と、を備えており、それらはバス等を介して接続されている。また、ＰＣ１００の外部には、リモコン１５０が存在し、ケーブルを介して、リモコンインタフェース部１４０に接続されている。リモコン１５０は、画像を投射するための画像投射部１５２を内蔵しており、外面には、外部からの指示をＰＣ１００に伝えるための操作ボタン１５４が設けられている。また、メモリ１２０は、２次元コード格納部１２２、コンテンツ格納部１２４及び接続情報格納部１２６として機能する。また、ＰＣ１００は、上記構成要素以外にも、キーボードやポインティングデバイスなどの入力部やモニタなどの表示部などを備えているが、図では省略されている。
【００３４】
一方、３台のプロジェクタＡ〜Ｃは、図１に示すように、並列に配置されており、各スクリーンＳＡ〜ＳＣに対して、それぞれ、画像を投射表示することが可能となっている。また、各プロジェクタＡ〜Ｃは、それぞれ、カメラ２５０を備えており、各スクリーンＳＡ〜ＳＣに表示された画像を撮像することが可能となっている。なお、各プロジェクタＡ〜Ｃの構成は、互いに同じであり、図２に示すような構成を成している。図２は図１におけるプロジェクタの構成を示すブロック図である。図２では、プロジェクタＡ〜Ｃを、プロジェクタ２００として示している。
【００３５】
図２に示すように、プロジェクタ２００は、プログラムを実行することにより種々の処理や制御を行うＣＰＵ２１０と、プログラムを格納したり、データや情報を格納したりするためのメモリ２２０と、無線ＬＡＮを介してＰＣ１００との間で各種データや情報などの伝送を行うネットワークインタフェース部２３０と、画像処理部２４２と、画像切換部２４４と、液晶パネル駆動部２４６と、待ち受け画像格納部２４８と、カメラ２５０と、を備えており、それらはバス等を介して接続されている。また、その他、照明光学系２６０と、液晶パネル２７０と、投射光学系２８０と、を備えている。また、メモリ２２０は、確定第１情報格納部２２４及び確定第２情報格納部２２６として機能する。
【００３６】
本実施例において、図１に示すスクリーンＳＡ〜ＳＣは、請求項における被投射面に、図２に示すカメラ２５０は、請求項における情報取得部に、ネットワークインタフェース部２３０は、請求項における指示受取部に、ＣＰＵ２１０は、請求項における制御部に、図１に示すリモコン１５０は、請求項におけるリモートコントローラに、それぞれ相当する。
【００３７】
Ａ−２．実施例の動作：
Ａ−２−１．初期動作：
各プロジェクタＡ〜Ｃでは、電源を投入すると、ＣＰＵ２１０が、メモリ２２０に格納されたファームウェア（図示せず）を実行し、それに従い、他の各構成要素を制御する。まず、待ち受け画像格納部２４８から、待ち受け画像データが読み出され、画像切換部２４４を介して、液晶パネル駆動部２４６に入力される。液晶パネル駆動部２４６は、入力された待ち受け画像データに基づいて、液晶パネル２７０に待ち受け画像を表示する。液晶パネル２７０は、照明光学系２６０でほぼ均一に照明されており、液晶パネル２７０に表示された待ち受け画像は、投射光学系２８０によってスクリーンＳ上に投射表示される。こうして、各プロジェクタＡ〜Ｃは、電源投入後の初期状態では、各スクリーンＳＡ〜ＳＣに、それぞれ、待ち受け画像を投射表示する。
【００３８】
図３は図１の各プロジェクタＡ〜Ｃによって投射表示された画像の一例を示す説明図である。上記した初期状態で、各プロジェクタＡ〜Ｃによって投射表示される待ち受け画像は、例えば、図３（ａ）に示す如くである。
【００３９】
一方、図１において、ＰＣ１００の電源を入れ、ＣＰＵ１１０によって、メモリ１２０に格納された専用のアプリケーションプログラム（図示せず）を起動すると、ＣＰＵ１１０は、接続情報格納部１２６から、各プロジェクタＡ〜Ｃとの間でそれぞれネットワーク接続を確立するために必要な接続情報を読み出す。そして、ＣＰＵ１１０は、ネットワークインタフェース部１３０を制御して、読み出した接続情報に基づき、無線ＬＡＮを介して、プロジェクタＡ〜Ｃとの間で、それぞれ、ネットワーク接続を確立する。その後、ＣＰＵ１１０は、コンテンツ格納部１２４に格納されているコンテンツデータに基づき、コンテンツ画像データをネットワークインタフェース部１３０から無線ＬＡＮを介して、プロジェクタＡ〜Ｃにそれぞれ伝送する。
【００４０】
これに対し、図２に示すように、プロジェクタＡ〜Ｃにおいて、それぞれ、ＣＰＵ２１０が、ネットワークインタフェース部２３０を介して、ＰＣ１００との間でネットワーク接続が確立されたことを検出すると、ＰＣ１００から伝送されたコンテンツ画像データを、ネットワークインタフェース部２３０を介して受信する。画像処理部２４２は、その受信したコンテンツ画像データに所望の画像処理を施して、画像切換部２４４に出力する。こうして、画像切換部２４４には、ＰＣ１００からのコンテンツ画像データが入力されるが、初期状態では、画像切換部２４４は、依然として、待ち受け画像格納部２４８からの待ち受け画像データを液晶パネル駆動部２４６へ出力し続ける。従って、各プロジェクタＡ〜Ｃは、それぞれ、各スクリーンＳＡ〜ＳＣに、待ち受け画像を投射表示し続ける。
【００４１】
また、ＰＣ１００において、２次元コード格納部１２２には、２次元コードｍが格納されている。この２次元コードｍは、ＰＣ１００の識別情報などをコード化して生成されたものである。そこで、ＰＣ１００では、前述のアプリケーションプログラムを起動すると、ＣＰＵ１１０が、２次元コード格納部１２２から、その２次元コードｍを読み出して、リモコンインタフェース部１４０を介してリモコン１５０に送信する。リモコン１５０では、その２次元コードｍを受信すると、リモコン１５０に内蔵された画像投射部１５２が、その２次元コードｍをコード画像として投射する。なお、本実施例では、コード化された情報として、２次元コードを用いる場合について説明するが、コード化された情報としては、識別情報等が判別できれば、その他の情報、例えば、暗号化された情報であっても構わない。
【００４２】
一方、各プロジェクタＡ〜Ｃでは、前述したように、それぞれ、カメラ２５０が、対応するスクリーンＳＡ〜ＳＣに表示された画像を撮像する。カメラ２５０によって撮像して得られた撮像画像データは、ＣＰＵ２１０に取り込まれる。
【００４３】
Ａ−２−２．コンテンツ画像への切り換え動作：
図４及び図５は第１の実施例における待ち受け画像からコンテンツ画像への切り換え動作を説明するための説明図である。
【００４４】
ユーザが、リモコン１５０を手で持ち、各プロジェクタＡ〜Ｃによってそれぞれ表示されている３つの待ち受け画像のうち、図４（ａ）に示すように、例えば、プロジェクタＡによる待ち受け画像の方に、リモコン１５０の先端を向けると、リモコン１５０に内蔵された画像投射部１５２は、プロジェクタＡによる待ち受け画像に向けて、コード画像を投射表示する。従って、その待ち受け画像には、２次元コードｍが重畳表示されることになる。
【００４５】
一方、各プロジェクタＡ〜Ｃでは、前述したとおり、それぞれ、カメラ２５０が、スクリーンＳＡ〜ＳＣに表示された画像を撮像しており、ＣＰＵ２１０は、その撮像して得られた撮像画像データを取り込む。
【００４６】
そして、ユーザが、図４（ａ）に示すように、プロジェクタＡによる待ち受け画像の方に、リモコン１５０の先端を向けたまま、リモコン１５０の操作ボタン１５４を押すと、その操作に基づき、リモコン１５０からは、ケーブルを介して、第１の指示信号が出力される。その第１の指示信号は、リモコンインタフェース部１４０を介して、ＣＰＵ１１０に伝えられる。ＣＰＵ１１０は、その第１の指示信号を、ネットワークインタフェース部１３０から無線ＬＡＮを介して、各プロジェクタＡ〜Ｃに伝送する。
【００４７】
各プロジェクタＡ〜Ｃでは、それぞれ、ＣＰＵ２１０が、ネットワークインタフェース部２３０を介して、その第１の指示信号を受信すると、そのタイミングで、取り込まれた撮像画像データに、２次元コードが含まれているかどうかをチェックする。
【００４８】
このとき、プロジェクタＡでは、撮像画像に２次元コードｍが含まれているため、ＣＰＵ２１０は、取り込まれた撮像画像データ内で、その２次元コードｍを検出する。そして、ＣＰＵ２１０は、その２次元コードｍを解析して、そのコードｍの表す情報を取得し、確定第１情報格納部２２４に格納して、取得情報の確定を行う。このとき確定された取得情報、すなわち、確定第１情報格納部２２４に格納された取得情報を、確定第１情報とする。
【００４９】
一方、プロジェクタＢ，Ｃでは、撮像画像には何ら２次元コードが含まれていないため、ＣＰＵ２１０は、取り込まれた撮像画像データ内で、２次元コードも何も検出しない。従って、ＣＰＵ２１０は、確定第１情報格納部２２４に何ら情報を格納することなく、取得情報の確定を行う。よって、このとき、確定第１情報格納部２２４内の不定の情報が、確定第１情報となる。
【００５０】
その後、ユーザが、図４（ｂ）に示すように、プロジェクタＡによる待ち受け画像の方に、リモコン１５０の先端を向けたまま、押していた操作ボタン１５４を放すと、その操作に基づき、リモコン１５０からは、ケーブルを介して、第２の指示信号が出力される。その第２の指示信号も、リモコンインタフェース部１４０を介して、ＣＰＵ１１０に伝えられ、さらに、ネットワークインタフェース部１３０から無線ＬＡＮを介して、各プロジェクタＡ〜Ｃに伝送される。
【００５１】
各プロジェクタＡ〜Ｃでは、それぞれ、ＣＰＵ２１０が、ネットワークインタフェース部２３０を介して、その第２の指示信号を受信すると、今回も、そのタイミングで、取り込まれた撮像画像データに、２次元コードが含まれているかどうかをチェックする。
【００５２】
このとき、プロジェクタＡでは、前回と同様に、撮像画像に２次元コードｍが含まれているため、ＣＰＵ２１０は、取り込まれた撮像画像データ内で、その２次元コードｍを検出する。そして、ＣＰＵ２１０は、その２次元コードｍを解析して、そのコードｍの表す情報を取得し、今回は、確定第２情報格納部２２６に格納して、取得情報の確定を行う。このとき確定された取得情報、すなわち、確定第２情報格納部２２６に格納された取得情報を、確定第２情報とする。
【００５３】
一方、プロジェクタＢ，Ｃでは、今回も、撮像画像には何ら２次元コードが含まれていないため、ＣＰＵ２１０は、取り込まれた撮像画像データ内で、２次元コードも何も検出しない。従って、ＣＰＵ２１０は、確定第２情報格納部２２６に何ら情報を格納することなく、取得情報の確定を行う。よって、このとき、確定第２情報格納部２２６内の不定の情報が、確定第２情報となる。
【００５４】
その後、各プロジェクタＡ〜Ｃにおいて、それぞれ、ＣＰＵ２１０は、確定第１情報格納部２２４から確定第１情報を読み出すと共に、確定第２情報格納部２２６から確定第２情報を読み出し、両者を比較する。
【００５５】
このとき、プロジェクタＡでは、確定第１情報と確定第２情報とは同じ情報であるので、ＣＰＵ２１０は、両者は互いに一致すると判定する。このような判定が出た場合、ＣＰＵ２１０は、自己のプロジェクタ（すなわち、プロジェクタＡ）の表示状態が待ち受け画像表示状態にあることを認識すると、画像切換部２４４を制御して、待ち受け画像格納部２４８からの待ち受け画像データに代えて、画像処理部２４２から出力された、ＰＣ１００からのコンテンツ画像データを、液晶パネル駆動部２４６に出力させる。液晶パネル駆動部２４６は、入力されたコンテンツ画像データに基づいて、液晶パネル２７０にコンテンツ画像を表示する。この結果、プロジェクタＡは、図５または図３（ｂ）に示すように、スクリーンＳＡに、待ち受け画像に代えて、ＰＣ１００から伝送されたコンテンツ画像を投射表示する。
【００５６】
一方、プロジェクタＢ，Ｃでは、確定第１情報と確定第２情報とは共に不定の情報であるので、比較不能であると判定する。このような判定が出た場合、ＣＰＵ２１０は、自己のプロジェクタ（すなわち、プロジェクタＢ，Ｃ）の表示状態が待ち受け画像表示状態にあることを認識すると、その表示状態を維持する。この結果、プロジェクタＢ，Ｃは、図３（ａ）に示すように、スクリーンＳＢ，ＳＣに、待ち受け画像を投射表示し続ける。
その後、各プロジェクタＡ〜Ｃにおいて、それぞれ、ＣＰＵ２１０は、確定第１情報格納部２２４，確定第２情報格納部２２６内の情報を削除する。
【００５７】
以上のようにして、ユーザが、リモコン１５０の先端を、プロジェクタＡによる待ち受け画像に向けた状態で、リモコン１５０の操作ボタン１５４を押して、放す操作を行うだけで、待ち受け画像を投射表示していたプロジェクタＡに、待ち受け画像に代えて、ＰＣ１００からのコンテンツ画像を投射表示させるようにすることができる。なお、それ以外のプロジェクタＢ，Ｃでは、待ち受け画像を投射表示し続ける。
【００５８】
また、上記の説明では、プロジェクタＡを対象としたが、他のプロジェクタＢ，Ｃに関しても、ユーザが、リモコン１５０をそれらの待ち受け画像に向けて同様の操作をすることにより、同様の動作を実現することが可能である。その結果として、対応するスクリーンＳＢ，ＳＣには、それぞれ、待ち受け画像に代えて、ＰＣ１００から伝送されたコンテンツ画像が投射表示される。
【００５９】
Ａ−２−３．待ち受け画像への切り換え動作：
図６及び図７は第１の実施例におけるコンテンツ画像から待ち受け画像への切り換え動作を説明するための説明図である。
【００６０】
次に、ユーザが、リモコン１５０を手で持ち、図６（ａ）に示すように、プロジェクタＡによるコンテンツ画像の方に、リモコン１５０の先端を向けると、リモコン１５０の画像投射部１５２は、プロジェクタＡによるコンテンツ画像に向けて、コード画像を投射表示する。従って、そのコンテンツ画像には、２次元コードｍが重畳表示されることになる。
【００６１】
そこで、ユーザが、図６（ａ）に示すように、プロジェクタＡによるコンテンツ画像の方に、リモコン１５０の先端を向けたまま、リモコン１５０の操作ボタン１５４を押すと、その操作に基づき、リモコン１５０からは第１の指示信号が出力される。従って、この場合も、その第１の指示信号は、ＰＣ１００から、各プロジェクタＡ〜Ｃに伝送される。そして、各プロジェクタＡ〜Ｃでは、それぞれ、ＣＰＵ２１０が、第１の指示信号を受信したタイミングで、取り込まれた撮像画像データに、２次元コードが含まれているかどうかをチェックする。
【００６２】
プロジェクタＡでは、この場合も、撮像画像に２次元コードｍが含まれているため、ＣＰＵ２１０は、取り込まれた撮像画像データ内で、その２次元コードｍを検出する。そして、ＣＰＵ１１０は、解析により、その２次元コードｍの表す情報を取得し、確定第１情報格納部２２４に格納して、取得情報の確定を行い、確定第１情報とする。
【００６３】
一方、プロジェクタＢ，Ｃでは、撮像画像には何ら２次元コードが含まれていないため、前述したのと同様の動作となる。
【００６４】
その後、ユーザが、図６（ｂ）に示すように、プロジェクタＡによるコンテンツ画像の方に、リモコン１５０の先端を向けたまま、押していた操作ボタン１５４を放すと、その操作に基づき、リモコン１５０からは第２の指示信号が出力される。そして、第２の指示信号は、ＰＣ１００から、各プロジェクタＡ〜Ｃに伝送され、各プロジェクタＡ〜Ｃでは、それぞれ、ＣＰＵ２１０が、第２の指示信号を受信したタイミングで、撮像画像データに、２次元コードが含まれているかどうかをチェックする。
【００６５】
プロジェクタＡでは、前回と同様に、撮像画像に２次元コードｍが含まれているため、ＣＰＵ２１０は、取り込まれた撮像画像データ内で、その２次元コードｍを検出する。そして、ＣＰＵ２１０は、解析により、その２次元コードｍの表す情報を取得し、今回は、確定第２情報格納部２２６に格納して、取得情報の確定を行い、確定第２情報とする。
【００６６】
一方、プロジェクタＢ，Ｃでは、撮像画像には何ら２次元コードが含まれていないため、前述したのと同様の動作となる。
【００６７】
その後、各プロジェクタＡ〜Ｃにおいて、それぞれ、ＣＰＵ２１０は、確定第１情報格納部２２４，確定第２情報格納部２２６から確定第１情報，確定第２情報をそれぞれ読み出し、両者を比較する。
【００６８】
この場合も、プロジェクタＡでは、確定第１情報と確定第２情報とは同じ情報であるので、ＣＰＵ２１０は、両者は互いに一致すると判定する。このような判定が出た場合、ＣＰＵ２１０は、自己のプロジェクタ（すなわち、プロジェクタＡ）の表示状態がコンテンツ画像表示状態にあることを認識すると、画像切換部２４４を制御して、画像処理部２４２からのコンテンツ画像データに代えて、待ち受け画像格納部２４８からの待ち受け画像データを、液晶パネル駆動部２４６に出力する。液晶パネル駆動部２４６は、入力された待ち受け画像データに基づいて、液晶パネル２７０に待ち受け画像を表示する。この結果、プロジェクタＡは、図７または図３（ａ）に示すように、スクリーンＳＡに、ＰＣ１００からのコンテンツ画像に代えて、待ち受け画像を投射表示する。
【００６９】
一方、プロジェクタＢ，Ｃでは、確定第１情報と確定第２情報とは共に不定の情報であるので、前述したのと同様に、クリーンＳＢ，ＳＣに、待ち受け画像を投射表示し続ける。
その後、各プロジェクタＡ〜Ｃにおいて、それぞれ、ＣＰＵ２１０は、確定第１情報格納部２２４，確定第２情報格納部２２６内の情報を削除する。
【００７０】
以上のようにして、ユーザが、リモコン１５０の先端を、プロジェクタＡによるコンテンツ画像に向けた状態で、リモコン１５０の操作ボタン１５４を押して、放す操作を行うだけで、ＰＣ１００からのコンテンツ画像を投射表示していたプロジェクタＡに、そのコンテンツ画像に代えて、待ち受け画像を投射表示させるようすることができる。なお、それ以外のプロジェクタＢ，Ｃでは、待ち受け画像を投射表示し続ける。
【００７１】
また、上記の説明では、プロジェクタＡを対象としたが、他のプロジェクタＢ，Ｃに関しても、ユーザが、リモコン１５０をそれらのコンテンツ画像に向けて同様の操作をすることにより、同様の動作を実現することが可能である。その結果として、対応するスクリーンＳＢ，ＳＣには、それぞれ、コンテンツ画像に代えて、待ち受け画像が投射表示される。
【００７２】
Ａ−２−４．コンテンツ画像の移し換え動作：
図８及び図９は第１の実施例におけるプロジェクタ間でのコンテンツ画像の移し換え動作を説明するための説明図である。
【００７３】
今、図８（ａ）に示すように、プロジェクタＡがコンテンツ画像を投射表示し、プロジェクタＢ，Ｃが待ち受け画像を投射表示しているものとする。そのような表示状態において、まず、ユーザが、リモコン１５０を手で持ち、プロジェクタＡによるコンテンツ画像の方に、リモコン１５０の先端を向けると、リモコン１５０の画像投射部１５２は、プロジェクタＡによるコンテンツ画像に向けて、コード画像を投射表示する。従って、そのコンテンツ画像には、２次元コードｍが重畳表示されることになる。
【００７４】
そこで、ユーザが、図８（ａ）に示すように、プロジェクタＡによるコンテンツ画像の方に、リモコン１５０の先端を向けたまま、リモコン１５０の操作ボタン１５４を押すと、その操作に基づき、リモコン１５０からは第１の指示信号が出力される。従って、この場合も、その第１の指示信号は、ＰＣ１００から、各プロジェクタＡ〜Ｃに伝送される。そして、各プロジェクタＡ〜Ｃでは、それぞれ、ＣＰＵ２１０が、第１の指示信号を受信したタイミングで、取り込まれた撮像画像データに、２次元コードが含まれているかどうかをチェックする。
【００７５】
このとき、プロジェクタＡでは、撮像画像に２次元コードｍが含まれているため、ＣＰＵ２１０は、撮像画像データ内で、その２次元コードｍを検出する。そして、ＣＰＵ１１０は、解析により、その２次元コードｍの表す情報を取得し、確定第１情報格納部２２４に格納して、取得情報の確定を行い、確定第１情報とする。
【００７６】
一方、プロジェクタＢ，Ｃでは、撮像画像には何ら２次元コードが含まれていないため、ＣＰＵ２１０は、撮像画像データ内で、２次元コードも何も検出しない。従って、ＣＰＵ２１０は、確定第１情報格納部２２４に何ら情報を格納することなく、取得情報の確定を行い、不定の情報を確定第１情報とする。
【００７７】
その後、ユーザが、リモコン１５０の操作ボタン１５４を押したままで、図８（ｂ）に示すように、リモコン１５０の向きを変え、プロジェクタＢによる待ち受け画像の方に、リモコン１５０の先端を向けると、リモコン１５０の画像投射部１５２は、プロジェクタＢによる待ち受け画像に向けて、コード画像を投射表示する。従って、今度は、プロジェクタＢによる待ち受け画像に、２次元コードｍが重畳表示されることになる。
【００７８】
そこで、ユーザが、図８（ｂ）に示すように、プロジェクタＢによる待ち受け画像の方に、リモコン１５０の先端を向けたまま、リモコン１５０の操作ボタン１５４を放すと、その操作に基づき、リモコン１５０からは第２の指示信号が出力される。従って、この場合も、その第２の指示信号は、ＰＣ１００から、各プロジェクタＡ〜Ｃに伝送される。そして、各プロジェクタＡ〜Ｃでは、それぞれ、ＣＰＵ２１０が、第２の指示信号を受信したタイミングで、取り込まれた撮像画像データに、２次元コードが含まれているかどうかをチェックする。
【００７９】
このとき、プロジェクタＢでは、前回と異なり、撮像画像に２次元コードｍが含まれているため、ＣＰＵ２１０は、撮像画像データ内で、その２次元コードｍを検出する。そして、ＣＰＵ２１０は、その２次元コードｍを解析して、そのコードｍの表す情報を取得し、確定第２情報格納部２２６に格納して、取得情報の確定を行い、確定第２情報とする。
【００８０】
一方、プロジェクタＡでは、前回と異なり、撮像画像には何ら２次元コードが含まれていないため、ＣＰＵ２１０は、取り込まれた撮像画像データ内で、２次元コードも何も検出しない。従って、ＣＰＵ２１０は、確定第２情報格納部２２６に何ら情報を格納することなく、取得情報の確定を行い、確定第２情報格納部２２６内の不定の情報が、確定第２情報となる。なお、プロジェクタＣも、プロジェクタＡと同様の動作となる。
【００８１】
その後、各プロジェクタＡ〜Ｃにおいて、それぞれ、ＣＰＵ２１０は、確定第１情報格納部２２４，確定第２情報格納部２２６から確定第１情報，確定第２情報をそれぞれ読み出して、両者を比較する。
【００８２】
このとき、プロジェクタＡでは、確定第１情報に対し、確定第２情報は不定の情報となっているので、ＣＰＵ２１０は、確定第１情報と確定第２情報とは互いに異なると判定する。このような判定が出た場合、ＣＰＵ２１０は、自己のプロジェクタ（すなわち、プロジェクタＡ）の表示状態がコンテンツ画像表示状態にあることを認識すると、画像切換部２４４を制御して、画像処理部２４２からのコンテンツ画像データに代えて、待ち受け画像格納部２４８からの待ち受け画像データを、液晶パネル駆動部２４６に出力する。液晶パネル駆動部２４６は、入力された待ち受け画像データに基づいて、液晶パネル２７０に待ち受け画像を表示する。
【００８３】
これに対し、プロジェクタＢでは、確定第２情報に対し、確定第１情報が不定の情報となっているので、ＣＰＵ２１０は、確定第１情報と確定第２情報とは互いに異なると判定する。このような判定が出た場合、ＣＰＵ２１０は、自己のプロジェクタ（すなわち、プロジェクタＢ）の表示状態が待ち受け画像表示状態にあることを認識すると、画像切換部２４４を制御して、待ち受け画像格納部２４８からの待ち受け画像データに代えて、画像処理部２４２から出力された、ＰＣ１００からのコンテンツ画像データを、液晶パネル駆動部２４６に出力させる。液晶パネル駆動部２４６は、入力されたコンテンツ画像データに基づいて、液晶パネル２７０にコンテンツ画像を表示する。
【００８４】
一方、プロジェクタＣでは、確定第１情報と確定第２情報とは共に不定の情報であるので、比較不能であると判定する。このような判定が出た場合、ＣＰＵ２１０は、前述したとおり、自己のプロジェクタ（すなわち、プロジェクタＣ）の表示状態が待ち受け画像表示状態にあることを認識すると、その表示状態を維持する。
その後、各プロジェクタＡ〜Ｃにおいて、それぞれ、ＣＰＵ２１０は、確定第１情報格納部２２４，確定第２情報格納部２２６内の情報を削除する。
【００８５】
以上の結果、図９に示すように、プロジェクタＡは、スクリーンＳＡに、ＰＣ１００からのコンテンツ画像に代えて、待ち受け画像を投射表示するのに対し、プロジェクタＢは、スクリーンＳＢに、待ち受け画像に代えて、ＰＣ１００から伝送されたコンテンツ画像を投射表示する。なお、プロジェクタＣは、図３（ａ）に示すように、スクリーンＳＣに、待ち受け画像を投射表示し続ける。
【００８６】
以上のようにして、ユーザが、リモコン１５０の先端を、まず、プロジェクタＡによるコンテンツ画像に向けた状態で、リモコン１５０の操作ボタン１５４を押し、その操作ボタン１５４を押したままの状態で、リモコン１５０の向きを変え、リモコン１５０の先端を、今度は、プロジェクタＢによる待ち受け画像に向けた状態で、操作ボタン１５４を放す操作を行うと、プロジェクタＡによってスクリーンＳＡに投射表示されていたＰＣ１００からのコンテンツ画像が、今度は、プロジェクタＢによってスクリーンＳＢに投射表示されることになり、あたかも、投射画像であるコンテンツ画像が、スクリーンＳＡからスクリーンＳＢに移動したように見せることができる。
【００８７】
なお、上記の説明では、プロジェクタＡからプロジェクタＢへの移し換えについて説明したが、逆向きのプロジェクタＢからプロジェクタＡへの移し換えについても、同じようにして実現することができる。また、プロジェクタＡ，Ｂ間だけでなく、プロジェクタＡ，Ｃ間や、プロジェクタＢ，Ｃ間においても、同様の動作を実現することが可能である。
【００８８】
Ａ−２−５．コンテンツ画像への他の切り換え動作：
上記した説明では、ユーザが、投射画像の方にリモコン１５０の先端を向けたままの状態で、リモコン１５０の操作ボタン１５４を押して放す操作を行うことにより、待ち受け画像への切り換えや、コンテンツ画像への切り換えを行うものとして説明した。しかしながら、上記したコンテンツ画像の移し換え動作において、プロジェクタＡ，Ｂの個々の動作に着目すると、ユーザの後述するような操作でも、待ち受け画像への切り換えや、コンテンツ画像への切り換えを行うことができることがわかる。以下、そのような他の切り換え動作について、説明する。
【００８９】
図１０は第１の実施例における待ち受け画像からコンテンツ画像への他の切り換え動作を説明するための説明図である。なお、プロジェクタＢ，Ｃに関する動作は、上述した切り換え動作の場合と同様であるので、それらについての説明は省略する。
【００９０】
ユーザが、リモコン１５０を手で持ち、図１０（ａ）に示すように、投射画像のない方に、リモコン１５０の先端を向けると、リモコン１５０の画像投射部１５２は、その向けた方にコード画像を投射する。そして、ユーザが、図１０（ａ）に示すように、投射画像のない方に、リモコン１５０の先端を向けたまま、リモコン１５０の操作ボタン１５４を押すと、その操作に基づき、リモコン１５０からは第１の指示信号が出力される。第１の指示信号は、ＰＣ１００から、各プロジェクタＡ〜Ｃに伝送される。各プロジェクタＡ〜Ｃでは、それぞれ、ＣＰＵ２１０が、第１の指示信号を受信したタイミングで、撮像画像データに、２次元コードが含まれているかどうかをチェックする。
【００９１】
このとき、プロジェクタＡでは、撮像画像に何ら２次元コードが含まれていないため、ＣＰＵ２１０は、撮像画像データ内で、２次元コードも何も検出しない。従って、ＣＰＵ２１０は、確定第１情報格納部２２４に何ら情報を格納することなく、取得情報の確定を行い、不定の情報を確定第１情報とする。
【００９２】
その後、ユーザが、リモコン１５０の操作ボタン１５４を押したままで、図１０（ｂ）に示すように、リモコン１５０の向きを変え、プロジェクタＡによる待ち受け画像の方に、リモコン１５０の先端を向けると、リモコン１５０の画像投射部１５２は、プロジェクタＡによる待ち受け画像に向けて、コード画像を投射表示する。従って、その待ち受け画像に、２次元コードｍが重畳表示されることになる。そして、ユーザが、図１０（ｂ）に示すように、プロジェクタＡによる待ち受け画像の方に、リモコン１５０の先端を向けたまま、リモコン１５０の操作ボタン１５４を放すと、その操作に基づき、リモコン１５０からは第２の指示信号が出力される。その第２の指示信号も、ＰＣ１００から、各プロジェクタＡ〜Ｃに伝送される。各プロジェクタＡ〜Ｃでは、それぞれ、ＣＰＵ２１０が、第１の指示信号を受信したタイミングで、撮像画像データに、２次元コードが含まれているかどうかをチェックする。
【００９３】
このとき、プロジェクタＡでは、前回と異なり、撮像画像に２次元コードｍが含まれているため、ＣＰＵ２１０は、撮像画像データ内で、その２次元コードｍを検出する。そして、ＣＰＵ２１０は、その２次元コードｍを解析して、そのコードｍの表す情報を取得し、確定第２情報格納部２２６に格納して、取得情報の確定を行い、確定第２情報とする。
その後、各プロジェクタＡ〜Ｃにおいて、それぞれ、ＣＰＵ２１０は、確定第１情報格納部２２４，確定第２情報格納部２２６から確定第１情報，確定第２情報をそれぞれ読み出し、両者を比較する。
【００９４】
このとき、プロジェクタＡでは、確定第２情報に対し、確定第１情報は不定の情報となっているので、ＣＰＵ２１０は、確定第１情報と確定第２情報とは互いに異なると判定する。このような判定が出た場合、ＣＰＵ２１０は、前述したように、自己のプロジェクタ（すなわち、プロジェクタＡ）の表示状態が待ち受け画像表示状態にあることを認識すると、画像切換部２４４を制御して、待ち受け画像データに代えて、ＰＣ１００からのコンテンツ画像データを、液晶パネル駆動部２４６に出力させ、液晶パネル駆動部２４６は、入力されたコンテンツ画像データに基づいて、液晶パネル２７０にコンテンツ画像を表示する。
【００９５】
以上のようにして、ユーザが、リモコン１５０の先端を、まず、投射画像のない方に向けた状態で、リモコン１５０の操作ボタン１５４を押し、その操作ボタン１５４を押したままの状態で、リモコン１５０の向きを変え、リモコン１５０の先端を、今度は、プロジェクタＡによる待ち受け画像の方に向けた状態で、操作ボタン１５４を放す操作を行うと、待ち受け画像を投射表示していたプロジェクタＡに、待ち受け画像に代えて、図５に示したように、ＰＣ１００からのコンテンツ画像を投射表示させるようすることができる。  なお、上記の説明では、プロジェクタＡを対象としたが、他のプロジェクタＢ，Ｃに関しても、同様の動作を実現することが可能である。
【００９６】
Ａ−２−６．待ち受け画像への他の切り換え動作：
図１１は第１の実施例におけるコンテンツ画像から待ち受け画像への他の切り換え動作を説明するための説明図である。なお、プロジェクタＢ，Ｃに関する動作は、上述した切り換え動作の場合と同様であるので、それらについての説明は省略する。
【００９７】
ユーザが、リモコン１５０を手で持ち、図１１（ａ）に示すように、プロジェクタＡによるコンテンツ画像の方に、リモコン１５０の先端を向けると、リモコン１５０の画像投射部１５２は、プロジェクタＡによるコンテンツ画像に向けて、コード画像を投射表示する。従って、そのコンテンツ画像には、２次元コードｍが重畳表示されることになる。
【００９８】
そこで、ユーザが、図１１（ａ）に示すように、プロジェクタＡによるコンテンツ画像の方に、リモコン１５０の先端を向けたまま、リモコン１５０の操作ボタン１５４を押すと、その操作に基づき、リモコン１５０からは第１の指示信号が出力される。第１の指示信号は、ＰＣ１００から、各プロジェクタＡ〜Ｃに伝送され、各プロジェクタＡ〜Ｃでは、それぞれ、第１の指示信号を受信したタイミングで、撮像画像データに、２次元コードが含まれているかどうかをチェックする。
【００９９】
プロジェクタＡでは、撮像画像に２次元コードｍが含まれているため、ＣＰＵ２１０は、撮像画像データ内で、その２次元コードｍを検出する。そして、ＣＰＵ１１０は、解析により、その２次元コードｍの表す情報を取得し、確定第１情報格納部２２４に格納して、取得情報の確定を行い、確定第１情報とする。
【０１００】
その後、ユーザが、リモコン１５０の操作ボタン１５４を押したままで、図１１（ｂ）に示すように、リモコン１５０の向きを変え、投射画像のない方に、リモコン１５０の先端を向けると、リモコン１５０の画像投射部１５２は、その向けた方にコード画像を投射する。そして、ユーザが、図１１（ｂ）に示すように、投射画像のない方に、リモコン１５０の先端を向けたまま、リモコン１５０の操作ボタン１５４を押すと、その操作に基づき、リモコン１５０からは第２の指示信号が出力される。第２の指示信号は、ＰＣ１００から、各プロジェクタＡ〜Ｃに伝送され、各プロジェクタＡ〜Ｃでは、それぞれ、受信したタイミングで、撮像画像データに、２次元コードが含まれているかどうかをチェックする。
【０１０１】
このとき、プロジェクタＡでは、前回と異なり、撮像画像に何ら２次元コードが含まれていないため、ＣＰＵ２１０は、撮像画像データ内で、２次元コードも何も検出しない。従って、ＣＰＵ２１０は、確定第２情報格納部２２６に何ら情報を格納することなく、取得情報の確定を行い、不定の情報を確定第２情報とする。
【０１０２】
その後、各プロジェクタＡ〜Ｃにおいて、それぞれ、ＣＰＵ２１０が、確定第１情報格納部２２４，確定第２情報格納部２２６から確定第１情報，確定第２情報をそれぞれ読み出し、両者を比較すると、プロジェクタＡでは、確定第１情報に対し、確定第２情報は不定の情報となっているので、ＣＰＵ２１０は、確定第１情報と確定第２情報とは互いに異なると判定する。このような判定が出た場合、ＣＰＵ２１０は、前述したように、自己のプロジェクタ（すなわち、プロジェクタＡ）の表示状態がコンテンツ画像表示状態にあることを認識すると、画像切換部２４４を制御して、コンテンツ画像データに代えて、待ち受け画像データを、液晶パネル駆動部２４６に出力させ、液晶パネル駆動部２４６は、入力された待ち受け画像データに基づいて、液晶パネル２７０に待ち受け画像を表示する。
【０１０３】
以上のようにして、ユーザが、リモコン１５０の先端を、まず、プロジェクタＡによるコンテンツ画像の方に向けた状態で、リモコン１５０の操作ボタン１５４を押し、その操作ボタン１５４を押したままの状態で、リモコン１５０の向きを変え、リモコン１５０の先端を、今度は、投射画像も何もないに方に向けた状態で、操作ボタン１５４を放す操作を行うと、コンテンツ画像を投射表示していたプロジェクタＡに、そのコンテンツ画像に代えて、図７に示したように、待ち受け画像を投射表示させるようすることができる。
【０１０４】
なお、上記の説明では、プロジェクタＡを対象としたが、他のプロジェクタＢ，Ｃに関しても、同様の動作を実現することが可能である。
【０１０５】
Ａ−３．実施例の効果：
以上説明したとおり、本実施例によれば、ユーザは、リモコン１５０の先端を投射画像の方に向け、リモコン１５０の操作ボタン１５４を押して放すだけの、より少ない簡単な操作にて、画像の切り換えや、画像の移し換えなど、プロジェクタによる投射画像の表示の仕方を変えることができる。
【０１０６】
Ｂ．第２の実施例：
上記した第１の実施例では、ユーザが、リモコン１５０の先端を或るプロジェクタによるコンテンツ画像に向けて、リモコン１５０の操作ボタン１５４を押し、その後、リモコン１５０の先端を他のプロジェクタによる待ち受け画像に向けて、操作ボタン１５４を放す操作を行うことにより、あたかも、投射画像であるコンテンツ画像が、或るスクリーンから他のスクリーンに移動したように見せるようにしていた。しかし、同じような操作によって、投射画像であるコンテンツ画像を、或るスクリーンから他のスクリーンに複写したように見せるようにすることもできる。
【０１０７】
そのような実施例を第２の実施例として説明する。なお、本実施例の構成は、第１の実施例の場合とほぼ同様であるが、リモコンに、操作ボタン１５４の他に、上記した画像複写用の操作ボタン１５６を新たに設けた点が異なる。
【０１０８】
Ｂ−１．実施例の動作：
Ｂ−１−１．コンテンツ画像の複写動作：
図１２及び図１３は本発明の第２の実施例におけるプロジェクタ間でコンテンツ画像の複写動作を説明するための説明図である。
【０１０９】
ユーザが、リモコン１５０’を用いて行う操作は、リモコン１５０’の操作ボタンとして、操作ボタン１５４の代わりに、画像複写用操作ボタン１５６を用いる以外は、第１の実施例におけるコンテンツ画像の移し換え動作の場合と同様である。すなわち、ユーザが、リモコン１５０’の先端を、まず、プロジェクタＡによるコンテンツ画像に向けた状態で、リモコン１５０’の画像複写用操作ボタン１５６を押し、その操作ボタン１５６を押したままの状態で、リモコン１５０’の向きを変え、リモコン１５０’の先端を、今度は、プロジェクタＢによる待ち受け画像に向けた状態で、画像複写用操作ボタン１５６を放す操作を行うのである。
【０１１０】
また、このときのＰＣ１００及びプロジェクタＡ，Ｂの動作も、確定第１情報及び確定第２情報が確定するまでの動作は、第１の実施例におけるコンテンツ画像の移し換え動作の場合とほぼ同様であるため、その後の動作について、以下説明する。
【０１１１】
各プロジェクタＡ〜Ｃにおいて、それぞれ、ＣＰＵ２１０は、確定第１情報格納部２２４，確定第２情報格納部２２６から確定第１情報，確定第２情報をそれぞれ読み出し、両者を比較する。
【０１１２】
このとき、プロジェクタＡでは、確定第１情報に対し、確定第２情報は不定の情報となっているので、ＣＰＵ２１０は、確定第１情報と確定第２情報とは互いに異なると判定する。このような判定が出た場合、ＣＰＵ２１０は、自己のプロジェクタ（すなわち、プロジェクタＡ）の表示状態がコンテンツ画像表示状態にあることを認識すると、その表示状態を維持する。
【０１１３】
これに対し、プロジェクタＢでは、確定第２情報に対し、確定第１情報が不定の情報となっているので、ＣＰＵ２１０は、確定第１情報と確定第２情報とは互いに異なると判定する。このような判定が出た場合、ＣＰＵ２１０は、前述したとおり、自己のプロジェクタ（すなわち、プロジェクタＢ）の表示状態が待ち受け画像表示状態にあることを認識すると、画像切換部２４４を制御して、待ち受け画像格納部２４８からの待ち受け画像データに代えて、画像処理部２４２から出力された、ＰＣ１００からのコンテンツ画像データを、液晶パネル駆動部２４６に出力させる。液晶パネル駆動部２４６は、入力されたコンテンツ画像データに基づいて、液晶パネル２７０にコンテンツ画像を表示する。
【０１１４】
以上の結果、図１３に示すように、プロジェクタＡは、スクリーンＳＡに、ＰＣ１００からのコンテンツ画像を投射表示し続け、プロジェクタＢは、スクリーンＳＢに、待ち受け画像に代えて、ＰＣ１００から伝送された同じコンテンツ画像を新たに投射表示する。
【０１１５】
以上のようにして、ユーザが、リモコン１５０’の先端を、まず、プロジェクタＡによるコンテンツ画像に向けた状態で、リモコン１５０’の画像複写用操作ボタン１５６を押し、その操作ボタン１５６を押したままの状態で、リモコン１５０’の向きを変え、リモコン１５０’の先端を、今度は、プロジェクタＢによる待ち受け画像に向けた状態で、画像複写用操作ボタン１５６を放す操作を行うと、プロジェクタＡによってスクリーンＳＡにＰＣ１００からのコンテンツ画像が投射表示され続けると共に、プロジェクタＢによってスクリーンＳＢに新たに同じコンテンツ画像が投射表示されることになり、あたかも、投射画像であるコンテンツ画像を、スクリーンＳＡからスクリーンＳＢに複写したように見せることができる。
【０１１６】
なお、上記の説明では、プロジェクタＡからプロジェクタＢへの複写について説明したが、逆向きのプロジェクタＢからプロジェクタＡへの複写についても、同じようにして実現することができる。また、プロジェクタＡ，Ｂ間だけでなく、プロジェクタＡ，Ｃ間や、プロジェクタＢ，Ｃ間においても、同様の動作を実現することが可能である。
【０１１７】
Ｂ−２．実施例の効果：
以上説明したとおり、本実施例によれば、ユーザは、リモコン１５０’の先端を投射画像の方に向け、リモコン１５０’の画像複写用操作ボタン１５６を押して放すだけの、より少ない簡単な操作にて、画像の複写など、プロジェクタによる投射画像の表示の仕方を変えることができる。
【０１１８】
Ｃ．変形例：
なお、本発明は上記した実施例や実施形態に限られるものではなく、その要旨を逸脱しない範囲において種々の態様にて実施することが可能である。
【０１１９】
上記した実施例では、プロジェクタは３台であったが、本発明はこれに限定されるものではなく、待ち受け画像とコンテンツ画像との切り換えのみを実行するのであれば、１台でもよく、画像の移し換えや、画像の複写等を実行するのであれば、２台以上であればよい。
【０１２０】
上記した実施例では、ＰＣ１００と、プロジェクタ２００と、は無線ＬＡＮで接続するようにしていたが、本発明はこれに限定されるものではなく、ブルートゥースや、赤外線通信などを利用するようにしてもよい。また、このような無線通信に限らず、ケーブルなどを用いた有線通信を利用するようにしてもよい。
【０１２１】
上記した実施例では、ＰＣ１００と、プロジェクタ２００と、は別体であったが、プロジェクタに、ＰＣを組み込んで、一体化するようにしてもよい。また、リモコン１５０と、ＰＣ１００と、は別体であったが、ＰＣに、リモコンを組み込んで、一体化するようにしてもよい。また、カメラ２５０と、プロジェクタ２００と、は一体化されていたが、別体であってもよい。さらに、リモコン、ＰＣ、及びプロジェクタを一体化するようにしてもよい。
【０１２２】
上記した実施例では、２次元コードを利用するようにしていたが、本発明はこれに限定されるものではなく、他のコードであってもよいし、特定の文字，図形，記号，色彩などを利用するようにしてもよい。
【０１２３】
上記した実施例では、画像の切り換えや、画像の移し換えや、画像の複写など、画像の表示の仕方を変えるようにしていたが、本発明はこれに限定されるものではなく、画質（色，明るさ，コントラスト，シャープネスなど）や、画像の大きさ（画像の拡大／縮小など）や、画像の表示形態（特殊効果など）など、変えるようにしてもよい。
【０１２４】
上記した実施例においては、ユーザがリモコン１５０の操作ボタン１５４を押すと、リモコン１５０から第１の指示信号が出力され、押していた操作ボタン１５４を放すと、第２の指示信号が出力されるようになっていたが、本発明はこれに限定されるものではなく、例えば、ユーザがリモコンの操作ボタンを押すと、リモコンから第１の指示信号が出力され、その操作ボタンを放した後、再度、操作ボタンを押すと、第２の指示信号が出力されるようになっていてもよい。また、このようなボタン操作による指示に限らず、リモコンにマイク等を内蔵して、ユーザが音声にて指示するようにしてもよい。
【図面の簡単な説明】
【０１２５】
【図１】本発明の第１の実施例としての画像表示制御装置を含む画像表示システムを示すブロック図である。
【図２】図１におけるプロジェクタの構成を示すブロック図である。
【図３】図１の各プロジェクタＡ〜Ｃによって投射表示された画像の一例を示す説明図である。
【図４】第１の実施例における待ち受け画像からコンテンツ画像への切り換え動作を説明するための説明図である。
【図５】第１の実施例における待ち受け画像からコンテンツ画像への切り換え動作を説明するための説明図である。
【図６】第１の実施例におけるコンテンツ画像から待ち受け画像への切り換え動作を説明するための説明図である。
【図７】第１の実施例におけるコンテンツ画像から待ち受け画像への切り換え動作を説明するための説明図である。
【図８】第１の実施例におけるプロジェクタ間でのコンテンツ画像の移し換え動作を説明するための説明図である。
【図９】第１の実施例におけるプロジェクタ間でのコンテンツ画像の移し換え動作を説明するための説明図である。
【図１０】第１の実施例における待ち受け画像からコンテンツ画像への他の切り換え動作を説明するための説明図である。
【図１１】第１の実施例におけるコンテンツ画像から待ち受け画像への他の切り換え動作を説明するための説明図である。
【図１２】本発明の第２の実施例におけるプロジェクタ間でコンテンツ画像の複写動作を説明するための説明図である。
【図１３】第２の実施例におけるプロジェクタ間でコンテンツ画像の複写動作を説明するための説明図である。
【符号の説明】
【０１２６】
１１０…ＣＰＵ、１２０…メモリ、１２４…コンテンツ格納部、１２６…接続情報格納部、１３０…ネットワークインタフェース部、１４０…リモコンインタフェース部、１５０…リモコン、１５２…画像投射部、１５４…操作ボタン、１５６…画像複写用操作ボタン、２００…プロジェクタ、２１０…ＣＰＵ、２２０…メモリ、２２４…確定第１情報格納部、２２６…確定第２情報格納部、２３０…ネットワークインタフェース部、２４２…画像処理部、２４４…画像切換部、２４６…液晶パネル駆動部、２４８…受け画像格納部、２５０…カメラ、２６０…照明光学系、２７０…液晶パネル、２８０…投射光学系、Ａ〜Ｃ…プロジェクタ、ＳＡ〜ＳＣ…スクリーン
【図１】
2010015032.tif 000003
【図２】
2010015032.tif 000004
【図３】
2010015032.tif 000005
【図４】
2010015032.tif 000006
【図５】
2010015032.tif 000007
【図６】
2010015032.tif 000008
【図７】
2010015032.tif 000009
【図８】
2010015032.tif 000010
【図９】
2010015032.tif 000011
【図１０】
2010015032.tif 000012
【図１１】
2010015032.tif 000013
【図１２】
2010015032.tif 000014
【図１３】
2010015032.tif 000015